(57)【要約】【課題】  音源が切り替えられた際に、音源の音量差に起因して必要となるユーザの音量調整操作を減少させて、その煩雑さを緩和する。【解決手段】  この音響装置は、複数の音源Ａ、Ｂ、…、Ｘと音量調整手段１４とを備え音声を再生する音響装置であって、ユーザ操作による音量設定位置に応じて音量調整手段１４を制御するための音量変化特性を複数記憶する特性記憶手段２２と、録音媒体の再生時に選択された音量変化特性とその録音媒体とに係る情報を記憶する再生情報記憶手段２４と、その再生情報記憶手段２４に記憶された録音媒体が再生されるときに対応する音量変化特性を使用して音量調整手段１４を制御する制御手段２０と、を具備する。【選択図】      図１
2005203040.tif 000002
【特許請求の範囲】
【請求項１】
複数の音源と音量調整手段とを備え音声を再生する音響装置であって、
ユーザ操作による音量設定位置に応じて前記音量調整手段を制御するための音量変化特性を複数記憶する特性記憶手段と、
録音媒体の再生時に選択された音量変化特性と該録音媒体とに係る情報を記憶する再生情報記憶手段と、
前記再生情報記憶手段に記憶された録音媒体が再生されるときに対応する音量変化特性を使用して前記音量調整手段を制御する制御手段と、
を具備することを特徴とする音響装置。
【請求項２】
複数の音源と音量調整手段とを備え音声を再生する音響装置であって、
ユーザ操作による音量設定位置に応じて前記音量調整手段を制御するための基本音量変化特性を記憶する基本特性記憶手段と、
前記基本音量変化特性に対する補正量を音源ごと又は放送局ごとに記憶する補正量記憶手段と、
再生時に、前記基本音量変化特性を音源又は放送局に対応する補正量で補正して得られる音量変化特性に基づいて前記音量調整手段を制御する制御手段と、
を具備することを特徴とする音響装置。
【請求項３】
前記制御手段は、基本音量変化特性を補正して得られた音量変化特性に対し最大音量設定位置付近で特性をなまらせる、請求項２に記載の音響装置。
【請求項４】
前記制御手段は、基本音量変化特性を補正して得られた音量変化特性に対し最小音量設定位置付近で減衰量を最大にする、請求項２に記載の音響装置。
【請求項５】
複数の音源と音量調整手段とを備え音声を再生する音響装置であって、
一つの音源又は放送局から他の音源又は放送局への切り替えが行われた際に実行された音量設定操作量を対応する切り替えごとに記憶する操作量記憶手段と、
前記操作量記憶手段に記憶された切り替えがなされたとき、対応して記憶された音量設定操作量を統計処理して補正量を求め、該補正量に応じて前記音量調整手段を制御する制御手段と、
を具備することを特徴とする音響装置。
【請求項６】
複数の音源と音量調整手段とを備え音声を再生する音響装置であって、
音源又は放送局ごとに、最後に聴取されていたときの最終音量を記憶する最終音量記憶手段と、
音源又は放送局の切り替えがなされたときに、該切り替え直前の音量と前記音量記憶手段に記憶された切り替え先の音源又は放送局に係る最終音量とに基づいて得られる一定の音量となるように前記音量調整手段を制御する制御手段と、
を具備することを特徴とする音響装置。
【請求項７】
前記制御手段は、音源が放送受信器の場合に、放送局ごとに放送形態を検知し、各放送局の各放送形態に応じた音量調整制御を行う、請求項１から請求項６までのいずれか一項に記載の音響装置。
【発明の詳細な説明】
【技術分野】
【０００１】
本発明は、複数の音源（ＡＭ／ＦＭチューナ、ＣＤプレーヤ等）と音量調整機能とを備え音声を再生する音響装置に関する。
【背景技術】
【０００２】
複数の音源を備える音響装置では、テレビジョン放送、ラジオ放送等による放送波を受信する場合、音声信号のレベルは放送局ごとに異なってくる。また、ＣＤや音楽テープから音声を再生する場合にも、音楽ジャンルや地域性及びその年代によっても大きく音量感が異なり、ユーザは音響装置で音量をその都度調整しているのが現状である。
【０００３】
また、音響装置側の制約により内部伝送レベルの最大値を上げることができないなどの理由で音源間のレベル補正を十分に行うことができない場合も考えられ、その場合には、より一層ユーザによる音量調整が必要となり、煩わしさに耐えない。
【０００４】
かかる煩雑さを解消するため、下記特許文献１は、音楽ジャンルごとに最適音量特性を設け、音楽ジャンルの選択に応じて自動的に音量特性を切り替える装置を開示しているが、音楽ジャンルのみに着目したものであり、必ずしも十分な効果を得ることができない。
【０００５】
【特許文献１】特開平７−２８４１８５号公報
【発明の開示】
【発明が解決しようとする課題】
【０００６】
本発明は、上述した問題点に鑑みてなされたものであり、その目的は、音源が切り替えられた際に、音源の音量差に起因して必要となるユーザの音量調整操作を減少させて、その煩雑さを緩和することができ、さらに車載用にあっては安全性の向上を図ることができる音響装置を提供することにある。
【課題を解決するための手段】
【０００７】
上記目的を達成するために、本発明の第一の面によれば、複数の音源と音量調整手段とを備え音声を再生する音響装置であって、ユーザ操作による音量設定位置に応じて前記音量調整手段を制御するための音量変化特性を複数記憶する特性記憶手段と、録音媒体の再生時に選択された音量変化特性と該録音媒体とに係る情報を記憶する再生情報記憶手段と、前記再生情報記憶手段に記憶された録音媒体が再生されるときに対応する音量変化特性を使用して前記音量調整手段を制御する制御手段と、を具備することを特徴とする音響装置が提供される。
【０００８】
上記目的を達成するために、本発明の第二の面によれば、複数の音源と音量調整手段とを備え音声を再生する音響装置であって、ユーザ操作による音量設定位置に応じて前記音量調整手段を制御するための基本音量変化特性を記憶する基本特性記憶手段と、前記基本音量変化特性に対する補正量を音源ごと又は放送局ごとに記憶する補正量記憶手段と、再生時に、前記基本音量変化特性を音源又は放送局に対応する補正量で補正して得られる音量変化特性に基づいて前記音量調整手段を制御する制御手段と、を具備することを特徴とする音響装置が提供される。
【０００９】
ここで、本発明の第三の面によれば、前記第二の面による装置において、前記制御手段は、基本音量変化特性を補正して得られた音量変化特性に対し最大音量設定位置付近で特性をなまらせる。
【００１０】
また、本発明の第四の面によれば、前記第二の面による装置において、前記制御手段は、基本音量変化特性を補正して得られた音量変化特性に対し最小音量設定位置付近で減衰量を最大にする。
【００１１】
上記目的を達成するために、本発明の第五の面によれば、複数の音源と音量調整手段とを備え音声を再生する音響装置であって、一つの音源又は放送局から他の音源又は放送局への切り替えが行われた際に実行された音量設定操作量を対応する切り替えごとに記憶する操作量記憶手段と、前記操作量記憶手段に記憶された切り替えがなされたとき、対応して記憶された音量設定操作量を統計処理して補正量を求め、該補正量に応じて前記音量調整手段を制御する制御手段と、を具備することを特徴とする音響装置が提供される。
【００１２】
上記目的を達成するために、本発明の第六の面によれば、複数の音源と音量調整手段とを備え音声を再生する音響装置であって、音源又は放送局ごとに、最後に聴取されていたときの最終音量を記憶する最終音量記憶手段と、音源又は放送局の切り替えがなされたときに、該切り替え直前の音量と前記音量記憶手段に記憶された切り替え先の音源又は放送局に係る最終音量とに基づいて得られる一定の音量となるように前記音量調整手段を制御する制御手段と、を具備することを特徴とする音響装置が提供される。
【００１３】
また、本発明の第七の面によれば、前記制御手段は、音源が放送受信器の場合に、放送局ごとに放送形態を検知し、各放送局の各放送形態に応じた音量調整制御を行う。
【発明の効果】
【００１４】
以上説明したように構成されているので、本発明によれば、音源が切り替えられた際に、音源の音量差に起因して必要となるユーザの音量調整操作が減少せしめられて、その煩雑さが緩和され、さらに車載用にあっては安全性の向上が図られる。
【発明を実施するための最良の形態】
【００１５】
以下、添付図面を参照して本発明の実施形態について説明する。
【００１６】
図１は、本発明による音響装置の一実施形態としての車載用音響装置を示すブロック図である。同図において、音源Ａ、音源Ｂ、音源Ｃ、…、音源Ｘの各々は、ＡＭチューナ、ＦＭチューナ、ＴＶ（テレビジョン）チューナ等の放送受信器やカセットデッキ、ＣＤプレーヤ、ＤＶＤプレーヤ等の録音媒体再生器である。各音源からの音声信号は、それぞれ音源ゲイン設定部１０Ａ、１０Ｂ、１０Ｃ、…、１０Ｘにおいて、その音源に応じた一定のゲインで増幅された後、ソースセレクタ１２に導かれる。
【００１７】
ソースセレクタ１２は、セレクタスイッチ（図示せず）からの信号に基づいて一つの音源からの音声信号を選択する。電子ボリューム１４は、減衰器として構成され、選択された音声信号に対し、音量調整を実施する。パワーアンプ１６は、音量調整された音声信号を電力増幅する。最後に、スピーカ１８は、電力増幅された音声信号を音波に変換して放射する。
【００１８】
マイクロコンピュータ２０は、ユーザがボリュームスイッチ（図示せず）を操作することによって位置付けられた音量設定位置に応じて電子ボリューム（減衰器）１４を制御する。
【００１９】
その制御を行うために、マイクロコンピュータ２０に接続されたメモリ２２には、図２に示されるような、音量設定位置に対する減衰量を定めた音量変化特性（ボリューム制御特性）が予め複数個格納されている。例えば、図２において、パターンＰ１はＣＤ選択時に採用される音量変化特性であり、パターンＰ２はＦＭ選択時に採用される音量変化特性であり、パターンＰ３はＴＶ選択時に採用される音量変化特性である。
【００２０】
具体的には、メモリ２２には、図３に示されるような、音量設定位置と減衰量との対応関係を示すテーブルが音源ごとに記憶される。このように、マイクロコンピュータ２０は、各音源に対する音量変化特性を管理し、音源の切り替え時には、それに応じて自動的に音量変化特性をも切り替える。また、ユーザの操作によっても、音量変化特性を選択することができるように構成されている。
【００２１】
なお、ＡＭチューナ、ＦＭチューナ、ＴＶチューナ等の放送受信器からなる音源に対しては、放送局ごとに音量変化特性が準備され、マイクロコンピュータ２０による自動割当てやユーザによる選択が可能なように構成されている。
【００２２】
また、カセットデッキ、ＣＤプレーヤ、ＤＶＤプレーヤ等の録音媒体再生器からなる音源に対しては、一度再生された録音メディア（録音媒体）について、そのときの音量変化特性（パターン）と録音メディアを識別するための情報、例えばメディアタイトル（録音媒体の名称）とを再生情報として記憶し、当該録音メディアの次回再生時には自動的に前回と同一の音量変化特性（パターン）を割り当てるように構成されている。
【００２３】
例えば、図１において、音源ＡがＣＤプレーヤである場合には、同図に示されるように、再生情報記憶部２４が設けられる。再生情報記憶部２４は、ＣＤの再生時にそのＣＤタイトルとそのとき選択された音量変化特性（パターン）とに関する情報を再生情報として記憶する。そして、再生情報記憶部２４は、既に再生情報としてＣＤタイトルが記憶されているＣＤが再生されるとき、そのＣＤタイトルに対応して記憶されている音量変化特性（パターン）をマイクロコンピュータ２０に報知する。すると、マイクロコンピュータ２０は、その音量変化特性（パターン）を選択して電子ボリューム（減衰器）１４を制御する。
【００２４】
ところで、図２に示されるように音量変化特性（パターン）を音源ごとに設けるのではなく、図４に示されるように基本音量変化特性（基本パターン）を一つ設け、それに対する補正量を音源ごとに設定することができるようにしてもよい。
【００２５】
具体的には、メモリ２２に、基本音量変化特性（基本パターン）を定義するものとして、図３に示される如きテーブルを一つだけ設けるとともに、図５に示されるような、基本音量変化特性（基本パターン）に対する補正量を音源ごとに定義するテーブルを設ける。なお、音源が放送受信器の場合には、放送局ごとに補正量を設けることができる。そして、マイクロコンピュータ２０は、再生時に、基本音量変化特性（図３）を音源又は放送局に対応する補正量（図５）で補正して得られる音量変化特性に基づいて、電子ボリューム（減衰器）１４を制御する。
【００２６】
なお、上述の補正をするに際し、一律に一定値で基本音量変化特性を補正すると、音響装置内の伝送レベルの制約により音量最大時のレベル制約がある場合に音ワレ等の問題が生ずる可能性がある。そこで、マイクロコンピュータ２０は、図６に示されるように、基本音量変化特性を補正して得られた音量変化特性に対し最大音量設定位置付近で特性をなまらせることにより、かかる問題を回避するようにしている。
【００２７】
また、上述の補正をするに際し、一律に一定値で基本音量変化特性を補正すると、音量最小時に音量を絞りきれない場合が生ずる。そこで、マイクロコンピュータ２０は、図７に示されるように、基本音量変化特性を補正して得られた音量変化特性に対し最小音量設定位置付近で減衰量を最大にするようにしている。
【００２８】
ところで、過去、数回にわたるユーザのボリュームスイッチ操作による調整を記憶しておき、それらの値を統計処理して次回の音量自動調整用補正量を求めることもできる。具体的には、マイクロコンピュータ２０は、例えば、音源Ａから音源Ｂへの音源切り替えが行われた際、１０秒以内に実行された音量設定操作量を、図８に示されるように、５回分、メモリ２２に記憶する。そして、マイクロコンピュータ２０は、次に音源Ａから音源Ｂへの音源切り替えが行われた際には、５回分の音量設定操作量の平均値である＋５ｄＢを補正量として、自動的に音量を調整する。
【００２９】
あるいは、音源又は放送局ごとに最後に聴取されていたときの最終音量を記憶しておき、他の音源又は放送局から当該音源又は放送局へ復帰する際、記憶されている最終音量と現在の音量との差に所定の計算式を適用して、音量を決定することもできる。具体的には、マイクロコンピュータ２０は、例えば、音源Ａが前回聴取されていたときの最終音量がＸ［ｄＢ］であり、現在、音源Ｂが音量Ｙ［ｄＢ］で聴取されている場合において、音源Ｂから音源Ａへの切り替えがなされたときには、Ｙ＋（Ｘ−Ｙ）／２［ｄＢ］なる計算式を適用して、新たな音量を決定することができる。この計算式の場合には、音量差の１／２を補正量として自動調整したことになる。
【００３０】
なお、以上の説明では、音源ごとに、そして音源が放送受信器である場合には、さらに放送局ごとに、音量の自動調整が可能になる。しかし、同一の放送局にあっても、モノラル、ステレオ、音声多重等、異なる放送形態が存在する。そこで、上述の実施形態において、マイクロコンピュータ２０は、音源が放送受信器の場合には、同一の放送局からの放送であっても、音源からの信号に基づいて放送形態を検知し、検知された放送形態ごとに異なる音量変化特性を適用して音量調整制御を行うことも可能である。
【図面の簡単な説明】
【００３１】
【図１】本発明による音響装置の一実施形態としての車載用音響装置を示すブロック図である。
【図２】音量設定位置に対する減衰量を定めた音量変化特性を示す図である。
【図３】音量設定位置と減衰量との対応関係を示すテーブルを示す図である。
【図４】基本音量変化特性と補正後の音量変化特性とを示す図である。
【図５】基本音量変化特性に対する補正量を音源ごとに定義するテーブルを示す図である。
【図６】基本音量変化特性を補正して得られた音量変化特性に対し最大音量設定位置付近で特性をなまらせる様子を示す図である。
【図７】基本音量変化特性を補正して得られた音量変化特性に対し最小音量設定位置付近で減衰量を最大にする様子を示す図である。
【図８】音源切り替えが行われた際に記憶される音量設定操作量の記憶状態を示す図である。
【符号の説明】
【００３２】
１０Ａ、１０Ｂ、１０Ｃ、・・・、１０Ｘ…音源ゲイン設定部
１２…ソースセレクタ
１４…電子ボリューム（減衰器）
１６…パワーアンプ
１８…スピーカ
２０…マイクロコンピュータ
２２…メモリ
２４…再生情報記憶部
【図１】
2005203040.tif 000003
【図２】
2005203040.tif 000004
【図３】
2005203040.tif 000005
【図４】
2005203040.tif 000006
【図５】
2005203040.tif 000007
【図６】
2005203040.tif 000008
【図７】
2005203040.tif 000009
【図８】
2005203040.tif 000010